(57)【特許請求の範囲】
【請求項１】
ダクトに接続される筒状部と、この筒状部の外方で外壁面側に設けられるベース部と、このベース部の前面を囲む形状で上下の開口部を形成したフード部と、このフード部の内面に設けられ、前記ベース部の上端部から前記フード部の前方側内面に向かい滑らかな略円弧状に下降する形状で、前記フード部の前方側内面との間に隙間を形成した整流板とを備え、前記ベース部の前面に着脱自在に設けられ、外周に壁面から外方に突出する方向にリブが形成されたガラリまたはネットを有する構成であって、前記ガラリまたは前記ネットの外周のダクト中心線から下側に、少なくとも１ヶ所以上の壁面から外方に突出する方向に手掛部が形成されたガラリまたはネットを有する構成した外壁端末換気口。
【請求項２】
ダクトに接続される筒状部と、この筒状部の外方で外壁面側に設けられるベース部と、このベース部の前面を囲む形状で上下の開口部を形成したフード部と、このフード部の内面に設けられ、前記ベース部の上端部から前記フード部の前方側内面に向かい滑らかな略円弧状に下降する形状で、前記フード部の前方側内面との間に隙間を形成した整流板とを備え、前記ベース部の前面に着脱自在に設けられ、外周に壁面から外方に突出する方向にリブが形成されたガラリまたはネットを有する構成し、前記ガラリまたは前記ネットの外周のダクト中心線近傍から上側に、リブが形成されたガラリまたはネットを有する構成であって、前記ガラリまたは前記ネットの外周のダクト中心線から下側に、少なくとも１ヶ所以上の壁面から外方に突出する方向に手掛部が形成されたガラリまたはネットを有する構成した外壁端末換気口。
【請求項３】
中央部を壁面から外方に突出する方向に略円弧状に形成したガラリまたはネットを有する構成した請求項１または２記載の外壁端末換気口。
【請求項４】
ベース部のダクト中心線より上側に、少なくとも１ヶ所以上ガラリまたはネットの外周部を銜える先端が略くの字状のバネ性を有するツメ部を設けて構成した請求項１〜３のいずれかに記載の外壁端末換気口。
【請求項５】
ベース部に設けたツメ部に勘合するよう、ガラリまたはネットの外周部に、壁面から外方に突出する方向に凸部を形成したバネ性を有するツメ部を設けて構成した請求項４記載の外壁端末換気口。
【発明の詳細な説明】
【技術分野】
【０００１】
本発明は、室内に設けた換気装置と連動するダクトの端部に接続される形状で外壁に設けられる外壁端末換気口に関するものである。
【背景技術】
【０００２】
従来、この種の外壁端末換気口の一例として換気用通風器が知られている。（例えば、特許文献１参照）。
【０００３】
以下、その外壁端末換気口について、図９〜図１１を参照しながら説明する。
【０００４】
図９〜図１１に示すように、壁に取り付けられる開口部１０１を有する通気筒部１０２と、この通気筒部１０２の一端の開口部１０１に設けられ、前記開口部１０１から外方へ傾斜してその開口部１０１の中心より上方の部位を覆うフード１０３と、前記通気筒部１０２の一端の開口部１０１に設けられ、前記フード１０３から所定の間隔をおいてそのフード１０３を周回して囲うと共に、前記開口部１０１の前面前方を囲うカバー１０４と、を備えたことを特徴としている。
【０００５】
また、前記通気筒部１０２の一端の開口部１０１によろい戸１０５が取り付けられたことも特徴としていた。
【先行技術文献】
【特許文献】
【０００６】
【特許文献１】特許第２６００３８１号公報（第２項、図１、図２、図３）
【発明の概要】
【発明が解決しようとする課題】
【０００７】
このような従来の外壁端末換気口においては、平板の切り起こしで形成されたよろい戸１０５が、通気筒部１０２の室外１０６側平面部１０７に重ねて固定されるため、フード１０３を周回して囲うカバー１０４の上下開口１０８から浸入した雨水や、フード１０３やカバー１０４の内面１０９に付着した雨水が、カバー１０４内に吹き込んだ風に煽られてよろい戸１０５の平面部１１０に付着し、滴下していく過程でさらに風に煽られてよろい戸１０５の開口１１１から通気筒部１０２内に移動し、ダクトを通じて室内１１２側に侵入し易い、という課題を有していた。
【０００８】
そこで本発明は、上記従来の課題を解決するものであり、通気抵抗など他の性能に支障をきたすことなく、室内への雨水浸入を低減し、構成部品の強度と着脱作業性を向上できる外壁端末換気口を提供することを目的とする。
【課題を解決するための手段】
【０００９】
そして、この目的を達成するために、本発明は、ベース部の前面に着脱自在に設けられ、外周に壁面から外方に突出する方向にリブが形成されたガラリまたはネットを有する、としたものであり、これにより所期の目的を達成するものである。
【発明の効果】
【００１０】
本発明によれば、ベース部の前面に着脱自在に設けられ、外周に壁面から外方に突出する方向にリブが形成されたガラリまたはネットを有するという構成にしたことにより、強い外風を伴ってフード部の上下に形成された開口部から浸入した雨水や、フード部や整流板の内面に付着した雨水が、フード部内に吹き込んだ風に煽られてベース部の表面に付着し、滴下していく過程でさらに風に煽られたとしても、ベース部の前面に着脱自在に設けられたガラリまたはネットの外周に形成されたリブにより、ベース部上に付着した雨水がせき止められてリブに沿って下方に流れるのでガラリまたはネットの開口部には移動出来なくなり、最終的にはベース部下端から水滴となって滴下するため、筒状部からダクトを介して室内まで流出するのを低減でき、また、リブは最小限の高さで雨水を下方へと導くことができるため、通気抵抗などの諸性能に支障をきたすことはなく、また、ガラリまたはネットの外周をリブ形成することで、強度とベース部と接する平面度が向上できるとともに、手掛部としても利用可能となるため、着脱作業性が向上できることとなるので、通気抵抗など他の性能に支障をきたすことなく、室内への雨水浸入を低減させ、ガラリまたはネットの強度と着脱作業性が向上できる、という効果を得ることができる。
【図面の簡単な説明】
【００１１】
【図１】本発明の実施の形態１の外壁端末換気口の縦断面図
【図２】同正面断面図
【図３】本発明の実施の形態２の外壁端末換気口の縦断面図
【図４】本発明の実施の形態３の外壁端末換気口の縦断面図
【図５】本発明の実施の形態４の外壁端末換気口の縦断面図
【図６】本発明の実施の形態５の外壁端末換気口の正面断面図
【図７】同ツメ部断面図
【図８】本発明の実施の形態６の外壁端末換気口のツメ部断面図
【図９】従来の外壁端末換気口の斜視図
【図１０】同正面断面図
【図１１】同縦断面図
【発明を実施するための形態】
【００１２】
本発明の外壁端末換気口は、ダクトに接続される筒状部と、この筒状部の外方で外壁面側に設けられるベース部と、このベース部の前面を囲む形状で上下の開口部を形成したフード部と、このフード部の内面に設けられ、前記ベース部の上端部から前記フード部の前方側内面に向かい滑らかな略円弧状に下降する形状で、前記フード部の前方側内面との間に隙間を形成した整流板とを備え、前記ベース部の前面に着脱自在に設けられ、外周に壁面から外方に突出する方向にリブが形成されたガラリまたはネットを有するという構成とする。これにより、強い外風を伴ってフード部の上下に形成された開口部から浸入した雨水や、フード部や整流板の内面に付着した雨水が、フード部内に吹き込んだ風に煽られてベース部の表面に付着し、滴下していく過程でさらに風に煽られたとしても、ベース部の前面に着脱自在に設けられたガラリまたはネットの外周に形成されたリブにより、ベース上に付着した雨水がせき止められてリブに沿って下方に流れるのでガラリまたはネットの開口部には移動出来なくなり、最終的にはベース部下端から水滴となって滴下するため、筒状部からダクトを介して室内まで流出するのを低減でき、また、リブは最小限の高さで雨水を下方へと導くことができるため、通気抵抗などの諸性能に支障をきたすことはなく、また、ガラリまたはネットの外周をリブで形成することで、強度とベース部と接する平面度が向上できるとともに、手掛部としても利用可能となるため、着脱作業性が向上できることとなるので、通気抵抗など他の性能に支障をきたすことなく、室内への雨水浸入を低減させ、ガラリまたはネットの強度と着脱作業性が向上できるという効果を奏する。
【００１３】
また、ガラリまたはネットの外周のダクト中心線近傍から上側に、リブが形成されたガラリまたはネットを有するという構成にしてもよい。これにより、ガラリまたはネットのリブがダクトの中心線近傍から上側で形成されるため、ガラリまたはネットの平面部に付着した雨水が、リブに誘導されてリブ下端で集積し、風に煽られてガラリまたはネットの開口部から筒状部内に飛来浸入することなく、分散してベース部下端から水滴となって滴下するため、筒状部からダクトを介して室内まで流出するのを更に低減できることとなるので、室内への雨水浸入性が更に低減できるという効果を奏する。
【００１４】
また、ガラリまたはネットの外周のダクト中心線から下側に、少なくとも１ヶ所以上の壁面から外方に突出する方向に手掛部が形成されたガラリまたはネットを有するという構成にしてもよい。これにより、ガラリまたはネットを確実に手掛部で保持できるため、フード部内への着脱作業性が向上できることとなるので、ガラリまたはネットの着脱作業性が更に向上できるという効果を奏する。
【００１５】
また、中央部を壁面から外方に突出する方向に略円弧状に形成したガラリまたはネットを有するという構成にしてもよい。これにより、外壁構成寸法が薄く、筒状部内でダンパー機構などの構成部品を収めることが困難で、ベース部上に突出する場合にも、ガラリまたはネットの中央部を壁面から外方に突出する方向に略円弧状に形成するので干渉などの支障を生ずること無く、着脱可能に構成できることとなるので、筒状部からベース部の前面に突出する構成部品がある場合にも、構成部品に干渉するなどの支障を生ずることが無く、ガラリまたはネットを着脱できるという効果を奏する。
【００１６】
また、ベース部のダクト中心線より上側に、少なくとも１ヶ所以上ガラリまたはネットの外周部を銜える先端が略くの字状のバネ性を有するツメ部を設けるという構成にしてもよい。これにより、ガラリまたはネットをフードの下開口部からベース部上をスライドさせて所定位置に装着する際に、ガラリまたはネットの外周に形成したリブが、ベース部に設けられた先端が略くの字状でバネ性を有するツメ部を乗り越えて銜え込まれるため、ベース部上に仮固定されるとともに、必要以上スライドしてもリブがツメ部の立上部に当接する構成であるため、位置決定が容易になり着脱作業性が向上できることとなるので、ベース部上に設けられるガラリまたはネットの位置決定が容易になるとともに、一旦所定位置に装着するとツメ部のバネ性によりベース部上に仮固定可能となり、着脱作業性と落下に伴う危険性が回避され安全性およびメンテナンス性が向上できるという効果を奏する。
【００１７】
また、ベース部に設けたツメ部に勘合するよう、ガラリまたはネットの外周部に、壁面から外方に突出する方向に凸部を形成したバネ性を有するツメ部を設けるという構成にしてもよい。これにより、ガラリまたはネットをフード部の下開口部からベース部上をスライドさせて所定位置に装着する際に、ガラリまたはネットの外周部に設けたバネ性を有するツメ部上で壁面から外方に突出する方向に形成される凸部が、ベース部に設けられた先端が略くの字状でバネ性を有するツメ部を乗り越えて銜え込まれるため、勘合調整が容易になり変形やキズを生じることなくスムーズに、ベース部上に仮固定されるとともに、必要以上スライドしてもガラリまたはネットのツメ部が、ベース部のツメ部の立上部に当接する構成であるため、位置決定が容易になり着脱作業性が更に向上できることとなるので、ベース部上に設けたツメ部とガラリまたはネットに設けたツメ部の勘合調整が容易になり、着脱作業性が更に向上できるという効果を奏する。
【００１８】
以下、本発明の実施の形態について図面を参照しながら説明する。
【００１９】
（実施の形態１）
図１および図２に示すように、室内に設けられた換気装置に連通するダクト（図示せず）に接続される筒状部１と、この筒状部１の外方で外壁面側に設けられるベース部２と、このベース部２の前面を囲む形状で上下の開口部３を形成したフード部４と、このフード部４の内面５に設けられ、前記ベース部２の上端部６から前記フード部４の前方側内面５に向かい滑らかな略円弧状に下降する形状で、前記フード部４の前方側内面５との間に隙間７を形成した整流板８とを備え、前記ベース部２の前面９に着脱自在に設けられ、外周１０に壁面から外方に突出する方向にリブ１１が形成されたガラリまたはネット１２を有するという構成とする。
【００２０】
上記構成により、室内に設けられた換気装置とダクトを介して接続され給排気利用される外壁端末換気口において、強い外風を伴ってフード部４の上下に形成された上下の開口部３から浸入した雨水や、フード部４や整流板８の内面に付着した雨水が、フード部４内に吹き込んだ風に煽られてベース部２の表面に付着し、滴下していく過程でさらに風に煽られたとしても、ベース部２の前面９に固定ねじ１３などで着脱自在に設けられたガラリまたはネット１２の外周１０に形成されたリブ１１により、ベース部２上に付着した雨水がリブ１１を乗り越えてガラリまたはネット１２の平面部１４を経て開口部１５から筒状部１内に侵入しないようにせき止められてリブ１１に沿って自重で下方に流れるのでガラリまたはネット１２の平面部１４を経て開口部１５には移動出来なくなり、最終的にはベース部２下端から水滴となって滴下するため、筒状部１からダクトを介して室内まで流出するのを低減でき、また、リブ１１は最小限の高さで雨水を下方へと導くことができるため、通気抵抗などの諸性能に支障をきたすことはなく、また、ガラリまたはネット１２の外周１０をリブ１１で形成することで、強度とベース部２と密着して接する平面度が向上できるとともに、メンテナンスなどでフード部４の下開口部１６から着脱する際の手掛部としても利用可能となるため、着脱作業性が向上できることとなるので、通気抵抗など他の性能に支障をきたすことなく、室内への雨水浸入を低減させ、ガラリまたはネット１２の強度と着脱作業性が向上できる。
【００２１】
なお、実施の形態において、略格子状の開口部１５を形成するガラリまたはネット１２を設けたが、筒状部１を経由した排気流が開口部１５を通過する際に外壁面から遠ざかる方向に整流されるように開口部１５を切り起こさせて傾斜させてもよく、その作用効果に差異を生じない。
【００２２】
また、実施の形態において、ガラリまたはネット１２の外周１０の形状を円状に形成したが、角形など他の形状で形成させてもよく、その作用効果に差異を生じない。
【００２３】
また、リブ１１はベース部２の板厚と併せて２ｍｍ以上の高さを有して形成させることが望ましい。
【００２４】
（実施の形態２）
実施の形態１と同じところには同じ符号とし、その詳細な説明は省略する。
【００２５】
図３に示すように、ガラリまたはネット１２Ａの外周１０Ａのダクト中心線１７近傍から上側に、リブ１１Ａが形成されたガラリまたはネット１２Ａを有するという構成とする。
【００２６】
上記構成により、ガラリまたはネット１２Ａのリブ１１Ａがダクト中心線１７近傍から上側で形成されるため、強い外風を伴ってフード部４の上下に形成された上下の開口部３から浸入した雨水や、フード部４や整流板８の内面に付着した雨水が、フード部４内に吹き込んだ風に煽られてガラリまたはネット１２の平面部１４に付着した雨水が、リブ１１に誘導されてリブ１１下端で集積され大粒の雨粒となって滴下する過程で、風に煽られてガラリまたはネット１２の開口部１５から筒状部１内に飛来浸入することなく、効率よく分散してベース部２下端から水滴となって滴下するため、筒状部１からダクトを介して室内まで流出するのを更に低減できることとなるので、室内への雨水浸入性が更に低減できる。
【００２７】
（実施の形態３）
実施の形態１、２と同じところには同じ符号とし、その詳細な説明は省略する。
【００２８】
図４に示すように、ガラリまたはネット１２Ｂの外周１０Ｂのダクト中心線１７から下側に、少なくとも１ヶ所以上の壁面から外方に突出する方向に手掛部１８が形成されたガラリまたはネット１２Ｂを有する構成とする。
【００２９】
上記構成により、メンテナンスなどでフード部４の下開口部１６から着脱する際にガラリまたはネット１２Ｂを確実に手掛部１８で保持できるため、フード部４内への着脱作業性が向上できることとなるので、ガラリまたはネット１２Ｂの着脱作業性が更に向上できる。
【００３０】
また、手掛部１８はガラリまたはネット１２Ｂ下方で雨水が集積することのないように下端を避けて形成させることが望ましい。
【００３１】
（実施の形態４）
実施の形態１〜３と同じところには同じ符号とし、その詳細な説明は省略する。
【００３２】
図５に示すように、中央部１９を壁面から外方に突出する方向に略円弧状に形成したガラリまたはネット１２Ｃを有する構成とする。
【００３３】
上記構成により、外壁構成寸法が薄いため、その外壁内に収まる長さに設定された筒状部１内でダンパー機構２０などの構成部品を収めることが困難で、ベース部２上から突出する場合にも、ガラリまたはネット１２Ｃの中央部１９を壁面から外方に突出する方向に略円弧状に形成するので干渉などの支障を生ずること無く、着脱可能に構成できることとなる。また、略円弧状に成型するので製造コストへの影響も少ないので、筒状部１からベース部２の前面に突出する構成部品がある場合にも、構成部品に干渉するなどの支障を生ずることが無く、ガラリまたはネット１２Ｃを着脱可能に構成できる。
【００３４】
（実施の形態５）
実施の形態１〜４と同じところには同じ符号とし、その詳細な説明は省略する。
【００３５】
図６および図７に示すように、ベース部２Ａのダクト中心線１７より上側に、少なくとも１ヶ所以上ガラリまたはネット１２Ｂの外周１０Ｂを銜える先端２１が略くの字状のバネ性を有するツメ部２２を設けるという構成とする。
【００３６】
上記構成により、ガラリまたはネット１２Ｂをフード部４の下開口部１６からベース部２Ａ上をスライドさせて所定位置に装着する際に、ガラリまたはネット１２Ｂの外周１０Ｂに形成したリブ１１Ｂが、ベース部２Ａに設けられた先端２１が略くの字状でバネ性を有するツメ部２２を乗り越えて銜え込まれるため、ベース部２Ａ上に手を離しても自重で落下しないように仮固定されるとともに、必要以上スライドしてもリブ１１Ｂがツメ部２２の立上部２３に当接する構成であるため、ベース部２Ａの開口部２４とガラリまたはネット１２Ｂの開口部１５Ｂとのズレや、固定ねじ１３位置のズレを最小限にできるので、位置補正や決定が容易になり着脱作業性が向上できることとなるので、ベース部２Ａ上に設けられるガラリまたはネット１２Ｂの位置決定が容易になるとともに、一旦所定位置に装着するとツメ部２２のバネ性によりベース部２Ａ上に仮固定可能となり、着脱作業性と落下に伴う危険性が回避され安全性およびメンテナンス性が向上できる。
【００３７】
（実施の形態６）
実施の形態１〜５と同じところには同じ符号とし、その詳細な説明は省略する。
【００３８】
図８に示すように、ベース部２Ａに設けたツメ部２２に勘合するよう、ガラリまたはネット１２Ｄの外周１０Ｄ部に、壁面から外方に突出する方向に凸部２５を形成したバネ性を有するツメ部２６を設けるという構成にとする。
【００３９】
上記構成により、ガラリまたはネット１２Ｄをフード部４の下開口部１６からベース部２Ａ上をスライドさせて所定位置に装着する際に、ガラリまたはネット１２Ｄの外周１０Ｄ部に設けたバネ性を有するツメ部２６上で壁面から外方に突出する方向に略円弧状に形成される凸部２５が、ベース部２Ａに設けられた先端２１が略くの字状でバネ性を有するツメ部２２を略円弧状に沿ってスムーズに凸部２５が乗り越えて銜え込まれるため勘合調整が容易になり、双方がバネ性を有しているので変形やキズを生じることなく、ベース部２Ａ上に手を離しても自重で落下しないように仮固定されるとともに、必要以上スライドしてもガラリまたはネット１２Ｄのツメ部２６が、ベース部２Ａのツメ部２２の立上部２３に当接する構成であるため、ベース部２Ａの開口部２４とガラリまたはネット１２Ｄの開口部１５Ｄとのズレや、固定ねじ１３位置のズレを最小限にできるので、位置補正や決定が容易になり着脱作業性が更に向上できることとなるので、ベース部２Ａ上に設けたツメ部２２とガラリまたはネット１２Ｄに設けたツメ部２６の勘合調整が容易になり、着脱作業性やメンテナンス性が更に向上できる。
【産業上の利用可能性】
【００４０】
本発明にかかる外壁端末換気口は、室内への雨水侵入を低減させ、ガラリまたはネットの強度と着脱作業性の向上を可能とするものであるので、空気調和機、熱交換気扇等に組み合わせて外壁等に取付けられるフード等として有用である。
【符号の説明】
【００４１】
１      筒状部
２      ベース部
２Ａ    ベース部
３      上下の開口部
４      フード部
５      内面
６      上端部
７      隙間
８      整流板
９      前面
１０    外周
１０Ａ  外周
１０Ｂ  外周
１０Ｄ  外周
１１    リブ
１１Ａ  リブ
１２    ガラリまたはネット
１２Ａ  ガラリまたはネット
１２Ｂ  ガラリまたはネット
１２Ｃ  ガラリまたはネット
１２Ｄ  ガラリまたはネット
１７    ダクト中心線
１８    手掛部
１９    中央部
２１    先端
２２    ツメ部
２３    立上部
２５    凸部
２６    ツメ部
【図１】
0005640695.tif 000002
【図２】
0005640695.tif 000003
【図３】
0005640695.tif 000004
【図４】
0005640695.tif 000005
【図５】
0005640695.tif 000006
【図６】
0005640695.tif 000007
【図７】
0005640695.tif 000008
【図８】
0005640695.tif 000009
【図９】
0005640695.tif 000010
【図１０】
0005640695.tif 000011
【図１１】
0005640695.tif 000012